(57)【要約】【課題】  簡単な構成で正弦波出力周波数の広帯域化を図ることができる任意波形発生装置を提供する。【解決手段】  波形データに基づいてＤＡ変換器１からクロック信号に同期して発生される波形が出力回路２でレベル調整される任意波形発生装置において、クロック信号を正弦波に整形する波形整形回路４と、この波形整形回路４とＤＡ変換器１のいずれかの出力信号を出力回路２に切り換える第１の切換スイッチ５とを備えたことを特徴とする。【選択図】  図１
2009100131.tif 000002
【特許請求の範囲】
【請求項１】
波形データに基づいてＤＡ変換器からクロック信号に同期して発生される信号が出力回路でレベル調整される任意波形発生装置において、
前記クロック信号を正弦波に整形する波形整形回路と、
この波形整形回路と前記ＤＡ変換器のいずれかの出力信号を前記出力回路に切り換える第１の切換スイッチと
を備えたことを特徴とする任意波形発生装置。
【請求項２】
前記クロック信号の周波数を逓倍した信号を前記波形整形回路に出力する周波数逓倍回路を備えたことを特徴とする請求項３記載の任意波形発生装置。
【請求項３】
前記クロック信号を前記ＤＡ変換器又は前記波形整形回路のいずれかに切り換える第２の切換スイッチを備えたことを特徴とする請求項４記載の任意波形発生装置。
【請求項４】
前記クロック信号を前記ＤＡ変換器又は前記周波数逓倍回路のいずれかに切り換える第２の切換スイッチを備えたことを特徴とする請求項２記載の任意波形発生装置。
【請求項５】
前記出力回路が帯域制限機能を有することを特徴とする請求項１乃至請求項４のいずれかに記載の任意波形発生装置。
【発明の詳細な説明】
【技術分野】
【０００１】
本発明は、ＩＣテスタなどで使用される任意波形発生装置に関し、特に正弦波出力周波数の広帯域化を実現した任意波形発生装置に関する。
【背景技術】
【０００２】
ＩＣテスタやＬＳＩテスタなどにおいて、半導体デバイス等から出力される信号に含まれる歪みやノイズ等を測定するためにデバイスにアナログ波形信号を印加する際に任意波形発生装置が必要となる。
【０００３】
図３は従来の一般的な任意波形発生装置を示すブロック図である。
ＤＡ変換器１は、波形データ及びクロック信号が入力され、クロック信号に同期し波形データに基づいた任意波形を発生する。出力回路２は、ＤＡ変換器１から出力される信号が入力され、この信号にレベル調整や、帯域制限等の波形整形を行なって希望の信号を出力する。帯域制限は、ＤＡ出力信号に含まれる階段波等のノイズ除去のためである。
【０００４】
任意波形発生装置に関連する先行技術文献としては次のようなものがある。
【０００５】
【特許文献１】特開平０５−０４８３３７号公報
【発明の開示】
【発明が解決しようとする課題】
【０００６】
しかし、従来の方法では、任意波形発生装置の出力信号の帯域はＤＡ変換器１の最大動作クロック周波数によって制限される。すなわち、任意波形発生装置の正弦波出力周波数の上限は、ＤＡ変換出力の周波数帯域におけるsin(x)/x（ＳIＮＣ）特性の影響による高周波での出力レベルの急激な低減から、一般にＤＡ変換器１の最大動作クロック周波数の１／４から１／３までとされていた。その一方で、ユーザからは、波形を正弦波に限定してでもさらなる広帯域化を望む声があった。
【０００７】
本発明はこのような課題を解決しようとするもので、簡単な構成で正弦波出力周波数の広帯域化を図ることができる任意波形発生装置を提供することを目的とする。
【課題を解決するための手段】
【０００８】
このような課題を達成するために、本発明のうち請求項１記載の発明は、
波形データに基づいてＤＡ変換器からクロック信号に同期して発生される信号が出力回路でレベル調整される任意波形発生装置において、
前記クロック信号を正弦波に整形する波形整形回路と、
この波形整形回路と前記ＤＡ変換器のいずれかの出力信号を前記出力回路に切り換える第１の切換スイッチと
を備えたことを特徴とする。
【０００９】
請求項２記載の発明は、
請求項１記載の任意波形発生装置において、
前記クロック信号の周波数を逓倍した信号を前記波形整形回路に出力する周波数逓倍回路を備えたことを特徴とする。
【００１０】
請求項３記載の発明は、
請求項２記載の任意波形発生装置において、
前記クロック信号を前記ＤＡ変換器又は前記波形整形回路のいずれかに切り換える第２の切換スイッチを備えたことを特徴とする。
【００１１】
請求項４記載の発明は、
請求項２記載の任意波形発生装置において、
前記クロック信号を前記ＤＡ変換器又は前記周波数逓倍回路のいずれかに切り換える第２の切換スイッチを備えたことを特徴とする。
【００１２】
請求項５記載の発明は、
請求項１乃至請求項４のいずれかに記載の任意波形発生装置において、
前記出力回路が帯域制限機能を有することを特徴とする。
【発明の効果】
【００１３】
以上説明したことから明らかなように、本発明によれば、波形データに基づいてＤＡ変換器からクロック信号に同期して発生される波形が出力回路でレベル調整される任意波形発生装置において、前記クロック信号を正弦波に整形する波形整形回路と、この波形整形回路と前記ＤＡ変換器のいずれかの出力信号を前記出力回路に切り換える第１の切換スイッチとを備えたことにより、簡単な構成で正弦波出力周波数の広帯域化を図ることができる任意波形発生装置を提供することができる。
【発明を実施するための最良の形態】
【００１４】
以下本発明の実施の形態について図面を用いて詳細に説明する。
【００１５】
図１は本発明の実施の形態に係る、任意波形発生装置の一実施例を示す構成ブロック図である。図３と同じ部分は同一の記号を付してある。
【００１６】
ＤＡ変換器１は、波形データを入力してアナログ信号に変換する。切換スイッチ３は、クロック信号がｃ端子に入力され、切り換えによりｃ端子をａ端子又はｂ端子と接続する。ａ端子はＤＡ変換器１のクロック入力端子と接続される。波形整形回路４は、入力端子に切換スイッチ３のｂ端子が接続される。切換スイッチ５は、ａ端子に接続されるＤＡ変換器１の出力端子とｂ端子に接続される波形整形回路４の出力端子のいずれかを切り換えにより端子ｃに接続する。出力回路２は、切換スイッチ５のｃ端子から出力される信号が入力され、レベル調整、帯域制限等の波形整形を行なって希望の信号を出力する。上記で切換スイッチ５は第１の切換スイッチを構成し、切換スイッチ３は第２の切換スイッチを構成する。
【００１７】
図１の動作を次に説明する。切換スイッチ５及び切換スイッチ３が端子ａ側にオンであるときは、図３の場合と同様にＤＡ変換器１はクロック信号が入力され、波形データに基づいてクロック信号と同期した任意波形を発生する。出力回路２は、ＤＡ変換器１から出力される信号が入力され、この信号にレベル調整、帯域制限等の波形整形を行なって希望の信号を出力する。
【００１８】
切換スイッチ５及び切換スイッチ３が端子ｂ側にオンであるときは、クロック信号は波形整形回路４により正弦波に整形され、その正弦波信号は出力回路２により希望のレベルの正弦波出力とされる。
【００１９】
図１の回路で、例えば、ＤＡ変換器１の動作クロックが６００ＭＨｚの場合、ＤＡ変換器１出力から出力される正弦波はその１／４−１／３程度の周波数までとなるが、ＤＡ変換器１を通さずに波形整形回路４により波形整形して正弦波を出す場合は、原理的に６００ＭＨｚまで出すことができる。すなわち、１６５ＭＨｚまでの正弦波出力はＤＡ変換器１の出力を利用し、１５０ＭＨｚ〜５００ＭＨｚの正弦波は波形整形回路４の出力を利用する、といった活用方法により、広帯域の正弦波出力を得ることができる。
【００２０】
上記のような構成の任意波形発生装置によれば、クロック信号をＤＡ変換器１に供給してＤＡ変換器１から信号出力を得るのではなく、クロック信号を直接、正弦波に変換することにより、簡単な波形整形回路を追加するのみで、さらに高い周波数の正弦波出力を得ることができるので、任意波形発生装置の正弦波出力周波数を広帯域化することができる。
【００２１】
なお、クロック信号から波形整形される正弦波の純度をさらに高めるために、波形整形回路４としてバンドパスフィルタを複数並べて切り替えてもよい。
【００２２】
また、出力回路２は、例えばアッテネータ、ローパスフィルタ、出力アンプから構成される。上記出力アンプはまた、バッファ機能の他、シングル出力と差動出力の間の切り替え機能を備えてもよい。
【００２３】
また、切換スイッチ３を省略してクロック信号をＤＡ変換器１及び波形整形回路４の両方に常に印加してもよい。ただし、この場合は任意波形発生装置の消費電流が増加する他、スイッチ５でのオフ時のアイソレーションをよくするための方策が必要となる。
【００２４】
また、切換スイッチ３，５はメカニカルスイッチや電子スイッチなど、任意のタイプを用いることができる。
また、任意波形発生装置が正弦波信号出力モードにおいて、周波数によって自動的に切換スイッチ３，５を切り換えることにより、０ＭＨｚ〜５００ＭＨｚまでの全ての周波数帯域を連続的に出力させることができるようにし、この間で出力レベルが設定値に維持されるように出力回路２で制御するように構成してもよい。
【００２５】
図２は本発明の実施の形態に係る、任意波形発生装置の第２の実施例を示す構成ブロック図である。図１と同じ部分は同一の記号を付して重複した説明は省略する。
【００２６】
周波数逓倍回路６は、その入力端子が第２の切換スイッチ３の端子ｂと接続され、出力端子が波形整形回路４の入力端子に接続される。
【００２７】
上記装置の動作は、切換スイッチ５及び切換スイッチ３が端子ａ側にオンであるときは、図１の場合と同様である。切換スイッチ５及び切換スイッチ３が端子ｂ側にオンであるときは、クロック信号の周波数は周波数逓倍回路６によりさらに高い周波数に逓倍されるので、波形整形回路４、切換スイッチ５を介して、出力回路２からさらに広帯域化された正弦波出力が出力される。
【００２８】
上記のような構成の任意波形発生装置によれば、図１の装置よりもさらに広帯域の任意波形を得ることができる。
【００２９】
なお、上記の各実施例はＩＣテスタに限らず、任意波形発生装置が使用される、各種分野の試験測定にも応用可能である。
【図面の簡単な説明】
【００３０】
【図１】本発明の実施の形態に係る任意波形発生装置の一実施例を示す構成ブロック図である。
【図２】本発明の実施の形態に係る任意波形発生装置の第２の実施例を示す構成ブロック図である。
【図３】従来の一般的な任意波形発生装置を示すブロック図である。
【符号の説明】
【００３１】
１  ＤＡ変換器
２  出力回路
３  第２の切換スイッチ
４  波形整形回路
５  第１の切換スイッチ
６  周波数逓倍回路
【図１】
2009100131.tif 000003
【図２】
2009100131.tif 000004
【図３】
2009100131.tif 000005